(57)【要約】処理装置（３Ａ）は、第１のセル（３１Ａ）に属する第１のD2D通信ペア（２Ｅ）の近傍に位置する１又はそれ以上の隣接セルD2D無線端末（２Ｇ）が属している１又はそれ以上の隣接セル（３１Ｂ）の数を取得する。さらに、処理装置（３Ａ）は、３又はそれ以上の複数のセル（３１Ａ、３１Ｂ、３１Ｅ）の間で共用されるD2D無線リソースのうち第１のD2D通信ペア（２Ｅ）に割り当て可能な第１の部分を、取得された１又はそれ以上の隣接セル（３１Ｂ）の数に依存して決定する。これにより、例えば、少なくとも３つの互いに隣接するセルの間で共用されるD2D無線リソースの効率的な利用に寄与できる。
2018193676.tif 000002
【特許請求の範囲】
【請求項１】
少なくとも１つのメモリと、
前記少なくとも１つのメモリに結合された少なくとも１つのプロセッサと、
を備え、
前記少なくとも１つのプロセッサは、
第１のセルに属する第１のdevice-to-device（D2D）通信ペアの近傍に位置する１又はそれ以上の隣接セルD2D無線端末が属している１又はそれ以上の隣接セルの数を取得するよう構成され、
前記第１のセルを含む３又はそれ以上の複数のセルの間で共用されるD2D無線リソースのうち前記第１のD2D通信ペアに割り当て可能な第１の部分を、前記１又はそれ以上の隣接セルの数に依存して決定するよう構成される、
処理装置。
【請求項２】
前記少なくとも１つのプロセッサは、
前記１又はそれ以上の隣接セルD2D無線端末を検出するよう構成され、
前記検出された１又はそれ以上の隣接セルD2D無線端末が属している１又はそれ以上の隣接セルの数を検出するよう構成され、
前記検出された隣接セルの数に応じて、前記第１の部分のサイズを動的に増加または減少するよう構成される、
請求項１に記載の処理装置。
【請求項３】
前記少なくとも１つのプロセッサは、前記隣接セルの数が大きいほど前記第１の部分のサイズを減らすように構成される、
請求項１又は２に記載の処理装置。
【請求項４】
前記少なくとも１つのプロセッサは、前記隣接セルの数に基づいて、複数の分割パターンのうち１つを選択するよう構成され、
前記複数の分割パターンは、前記D2D無線リソースを互いに異なる数の部分に分割する、
請求項１〜３のいずれか１項に記載の処理装置。
【請求項５】
前記少なくとも１つのプロセッサは、
前記隣接セルの数が第１の数であるときに、前記D2D無線リソースを２又はそれ以上の部分に分割する第１の分割パターンに従って前記第１の部分を決定するよう構成され、
前記隣接セルの数が前記第１の数より大きい第２の数であるときに、前記D2D無線リソースを３又はそれ以上の部分に分割する第２の分割パターンに従って前記第１の部分を決定するよう構成され、
前記第１および第２の分割パターンの各部分は、対応するセルに属するD2D通信ペアによって行われるD2D送信に割り当て可能なリソースであり、
前記第２の分割パターン内の前記第１の部分に含まれる無線リソースの合計サイズは、前記第１の分割パターン内の前記第１の部分に含まれる無線リソースの合計サイズよりも小さい、
請求項１〜４のいずれか１項に記載の処理装置。
【請求項６】
前記第１の分割パターンは、周期的に変更される複数の異なる分割パターンを含む、
請求項５に記載の処理装置。
【請求項７】
前記第１および第２の分割パターンの各部分は、複数のセルを含む１つのセルグループに関連付けられ、
前記少なくとも１つのプロセッサは、前記１又はそれ以上の隣接セルが前記第１のセルと同じセルグループに属するセルを含むか否かにさらに依存して、前記第１の部分を決定するよう構成される、
請求項５又は６に記載の処理装置。
【請求項８】
前記少なくとも１つのプロセッサは、前記１又はそれ以上の隣接セルD2D無線端末の数にさらに依存して、前記第１の部分を決定するよう構成される、
請求項１〜７のいずれか１項に記載の処理装置。
【請求項９】
前記少なくとも１つのプロセッサは、前記１又はそれ以上の隣接セルD2D無線端末の数が大きいほど前記第１の部分のサイズを減らすように構成される、
請求項８に記載の処理装置。
【請求項１０】
前記少なくとも１つのプロセッサは、さらに、前記第１のD2D通信ペアによって行われるD2D送信に割り当てる無線リソースを、前記第１の部分の中から選択するよう構成される、
請求項１〜９のいずれか１項に記載の処理装置。
【請求項１１】
前記処理装置は、前記第１のセルを運用するよう構成された第１の基地局に配置される、
請求項１〜１０のいずれか１項に記載の処理装置。
【請求項１２】
前記少なくとも１つのプロセッサは、
第２のセルに属するD2D通信ペアの近傍に位置し且つ前記第１のセルに属しているD2D無線端末に関する情報を前記第２のセルを運用する第２の基地局から受信するよう構成され、
前記情報にさらに依存して、前記第１の部分を決定するよう構成される、
請求項１０に記載の処理装置。
【請求項１３】
前記情報は、前記第２のセル内のD2D通信ペアと前記第１のセルに属するD2D無線端末との近接が検出されたか否かを示す、
請求項１２に記載の処理装置。
【請求項１４】
前記少なくとも１つのプロセッサは、前記第１のD2Dペアの近傍に位置し且つ第２のセルに属しているD2D無線端末に関する情報を前記第２のセルを運用する第２の基地局に送るよう構成される、
請求項１１〜１３のいずれか１項に記載の処理装置。
【請求項１５】
前記少なくとも１つのプロセッサは、前記隣接セルの数に基づいて、複数の分割パターンのうち１つを前記第１のD2D通信ペアへの無線リソース割り当てに使用するために選択するよう構成され、ここで、前記複数の分割パターンは、前記D2D無線リソースを互いに異なる数の部分に分割し、各部分は、対応するセルに属するD2D通信ペアによって行われるD2D送信に割り当て可能なリソースであり;
前記少なくとも１つのプロセッサは、前記選択された分割パターンを隣接セルの基地局に通知するよう構成される、
請求項１１〜１４のいずれか１項に記載の処理装置。
【請求項１６】
前記処理装置は、無線端末に配置される、
請求項１〜１０のいずれか１項に記載の処理装置。
【請求項１７】
前記少なくとも１つのプロセッサは、１又はそれ以上の無線端末又は無線端末グループを発見するためのディスカバリ手順を用いて、前記１又はそれ以上の隣接セルD2D無線端末を検出するよう構成され、
前記ディスカバリ手順は、D2D通信のためのディスカバリであるか又はそれ以外の用途のためのディスカバリであるかを識別するための情報要素を含む信号を他の無線端末に送信又は他の無線端末から受信することを含む、
請求項１６に記載の処理装置。
【請求項１８】
第１のセルに属する第１のdevice-to-device（D2D）通信ペアの近傍に位置する１又はそれ以上の隣接セルD2D無線端末が属している１又はそれ以上の隣接セルの数を取得すること、及び
前記第１のセルを含む３又はそれ以上の複数のセルの間で共用されるD2D無線リソースのうち前記第１のD2D通信ペアに割り当て可能な第１の部分を、前記１又はそれ以上の隣接セルの数に依存して決定すること、
を備える方法。
【請求項１９】
前記取得することは、
前記１又はそれ以上の隣接セルD2D無線端末を検出すること、及び
前記検出された１又はそれ以上の隣接セルD2D無線端末が属している１又はそれ以上の隣接セルの数を検出すること、
を含み、
前記決定することは、前記検出された隣接セルの数に応じて、前記第１の部分のサイズを動的に増加または減少することを含む、
請求項１８に記載の方法。
【請求項２０】
前記決定することは、前記隣接セルの数が大きいほど前記第１の部分のサイズを減らすことを含む、
請求項１８又は１９に記載の方法。
【請求項２１】
前記決定することは、前記隣接セルの数に基づいて、複数の分割パターンのうち１つを選択することを含み、
前記複数の分割パターンは、前記D2D無線リソースを互いに異なる数の部分に分割する、
請求項１８〜２０のいずれか１項に記載の方法。
【請求項２２】
前記決定することは、
前記隣接セルの数が第１の数であるときに、前記D2D無線リソースを２又はそれ以上の部分に分割する第１の分割パターンに従って前記第１の部分を決定すること、及び
前記隣接セルの数が前記第１の数より大きい第２の数であるときに、前記D2D無線リソースを３又はそれ以上の部分に分割する第２の分割パターンに従って前記第１の部分を決定すること、
を含み、
前記第１および第２の分割パターンの各部分は、対応するセルに属するD2D通信ペアによって行われるD2D送信に割り当て可能なリソースであり、
前記第２の分割パターン内の前記第１の部分に含まれる無線リソースの合計サイズは、前記第１の分割パターン内の前記第１の部分に含まれる無線リソースの合計サイズよりも小さい、
請求項１８〜２１のいずれか１項に記載の方法。
【請求項２３】
前記第１の分割パターンは、周期的に変更される複数の異なる分割パターンを含む、
請求項２２に記載の方法。
【請求項２４】
前記第１のD2D通信ペアによって行われるD2D送信に割り当てる無線リソースを、前記第１の部分の中から選択することをさらに備える、
請求項１８〜２３のいずれか１項に記載の方法。
【請求項２５】
請求項１８〜２４のいずれか１項に記載の方法をコンピュータに行わせるためのプログラムを格納した非一時的なコンピュータ可読媒体。
【請求項２６】
第１のセルを運用するよう構成された基地局であって、
少なくとも１つのメモリと、
前記少なくとも１つのメモリに結合された少なくとも１つのプロセッサと、
を備え、
前記少なくとも１つのプロセッサは、
前記第１のセルに属する第１のdevice-to-device（D2D）通信ペアの近傍に位置する１又はそれ以上の隣接セルD2D無線端末を検出するよう構成され、
前記第１のD2D通信ペアの近傍に位置し且つ第２のセルに属するD2D無線端末に関する情報を前記第２のセルを運用する第２の基地局に送るよう構成される、
基地局。
【請求項２７】
第１のセルを運用するよう構成された基地局における方法であって、
前記第１のセルに属する第１のdevice-to-device（D2D）通信ペアの近傍に位置する１又はそれ以上の隣接セルD2D無線端末を検出すること、及び
前記第１のD2D通信ペアの近傍に位置し且つ第２のセルに属するD2D無線端末に関する情報を前記第２のセルを運用する第２の基地局に送ること、
を備える方法。
【請求項２８】
第１のセルを運用するよう構成された基地局における方法をコンピュータに行わせるためのプログラムを格納した非一時的なコンピュータ可読媒体であって、
前記方法は、
前記第１のセルに属する第１のdevice-to-device（D2D）通信ペアの近傍に位置する１又はそれ以上の隣接セルD2D無線端末を検出すること、及び
前記第１のD2D通信ペアの近傍に位置し且つ第２のセルに属するD2D無線端末に関する情報を前記第２のセルを運用する第２の基地局に送ること、
を備える、
非一時的なコンピュータ可読媒体。
【請求項２９】
第１のセルを運用するよう構成された基地局であって、
少なくとも１つのメモリと、
前記少なくとも１つのメモリに結合された少なくとも１つのプロセッサと、
を備え、
前記少なくとも１つのプロセッサは、
前記第１のセルに属する第１のdevice-to-device（D2D）通信ペアの近傍に位置する１又はそれ以上の隣接セルD2D無線端末が属している１又はそれ以上の隣接セルの数を検出するよう構成され、
前記隣接セルの数に基づいて、複数の分割パターンのうち１つを前記第１のD2D通信ペアへの無線リソース割り当てに使用するために選択するよう構成され、ここで、前記複数の分割パターンは、前記D2D無線リソースを互いに異なる数の部分に分割し、各部分は、対応するセルに属するD2D通信ペアによって行われるD2D送信に割り当て可能なリソースであり；
前記選択された分割パターンを隣接セルの基地局に通知するよう構成される、
基地局。
【請求項３０】
第１のセルを運用するよう構成された基地局における方法であって、
前記第１のセルに属する第１のdevice-to-device（D2D）通信ペアの近傍に位置する１又はそれ以上の隣接セルD2D無線端末が属している１又はそれ以上の隣接セルの数を検出すること、
前記隣接セルの数に基づいて、複数の分割パターンのうち１つを前記第１のD2D通信ペアへの無線リソース割り当てに使用するために選択すること、ここで、前記複数の分割パターンは、前記D2D無線リソースを互いに異なる数の部分に分割し、各部分は、対応するセルに属するD2D通信ペアによって行われるD2D送信に割り当て可能なリソースであり；及び
前記選択された分割パターンを隣接セルの基地局に通知すること、
を備える方法。
【請求項３１】
第１のセルを運用するよう構成された基地局における方法をコンピュータに行わせるためのプログラムを格納した非一時的なコンピュータ可読媒体であって、
前記方法は、
前記第１のセルに属する第１のdevice-to-device（D2D）通信ペアの近傍に位置する１又はそれ以上の隣接セルD2D無線端末が属している１又はそれ以上の隣接セルの数を検出すること、
前記隣接セルの数に基づいて、複数の分割パターンのうち１つを前記第１のD2D通信ペアへの無線リソース割り当てに使用するために選択すること、ここで、前記複数の分割パターンは、前記D2D無線リソースを互いに異なる数の部分に分割し、各部分は、対応するセルに属するD2D通信ペアによって行われるD2D送信に割り当て可能なリソースであり；及び
前記選択された分割パターンを隣接セルの基地局に通知すること、
を備える、
非一時的なコンピュータ可読媒体。
【請求項３２】
無線端末であって、
少なくとも１つのメモリと、
前記少なくとも１つのメモリに結合された少なくとも１つのプロセッサと、
を備え、
前記少なくとも１つのプロセッサは、１又はそれ以上の無線端末又は無線端末グループを発見するためのディスカバリ手順を用いて、１又はそれ以上の隣接セルdevice-to-device（D2D）無線端末を検出するよう構成され、
前記ディスカバリ手順は、D2D通信のためのディスカバリであるか又はそれ以外の用途のためのディスカバリであるかを識別するための情報要素を含む信号を他の無線端末に送信又は他の無線端末から受信することを含む、
無線端末。
【請求項３３】
無線端末における方法であって、
１又はそれ以上の無線端末又は無線端末グループを発見するためのディスカバリ手順を用いて、１又はそれ以上の隣接セルdevice-to-device（D2D）無線端末を検出することを備え、
前記ディスカバリ手順は、D2D通信のためのディスカバリであるか又はそれ以外の用途のためのディスカバリであるかを識別するための情報要素を含む信号を他の無線端末に送信又は他の無線端末から受信することを含む、
方法。
【請求項３４】
無線端末における方法をコンピュータに行わせるためのプログラムを格納した非一時的なコンピュータ可読媒体であって、
前記方法は、１又はそれ以上の無線端末又は無線端末グループを発見するためのディスカバリ手順を用いて、１又はそれ以上の隣接セルdevice-to-device（D2D）無線端末を検出することを備え、
前記ディスカバリ手順は、D2D通信のためのディスカバリであるか又はそれ以外の用途のためのディスカバリであるかを識別するための情報要素を含む信号を他の無線端末に送信又は他の無線端末から受信することを含む、
非一時的なコンピュータ可読媒体。
【発明の詳細な説明】
【技術分野】
【０００１】
本開示は、端末間直接通信（device-to-device（D2D）通信）に関する。
【背景技術】
【０００２】
無線端末が基地局等のインフラストラクチャ・ネットワークを介さずに他の無線端末と直接的に通信する形態は、device-to-device（D2D）通信と呼ばれる。D2D通信は、直接通信（Direct Communication）および直接ディスカバリ（Direct Discovery）の少なくとも一方を含む。幾つかの実装において、D2D通信をサポートする複数の無線端末は、自律的に又はネットワークの指示に従ってD2D通信グループを形成し、当該D2D通信グループ内の他の無線端末と通信を行う。【０００３】
3GPP Release 12及びRelease 13に規定されたProximity-based services（ProSe）は、D2D通信の一例である。ProSe直接ディスカバリは、ProSeを実行可能な無線端末（ProSe-enabled User Equipment（UE））が他のProSe-enabled UEを、これら２つのUEが有する無線通信技術（例えば、Evolved Universal Terrestrial Radio Access (E-UTRA) technology）の能力だけを用いてディスカバリする手順により行われる。ProSe直接ディスカバリは、３つ以上のProSe-enabled UEsにより行われてもよい。【０００４】
ProSe直接通信は、例えばProSe直接ディスカバリの手順の後に、直接通信レンジ内に存在する２以上のProSe-enabled UEsの間の通信パスの確立を可能にする。言い換えると、ProSe直接通信は、ProSe-enabled UEが、基地局（eNodeB（eNB））を含む公衆地上移動通信ネットワーク（Public Land Mobile Network (PLMN)）を経由せずに、他のProSe-enabled UEと直接的に通信することを可能にする。ProSe直接通信は、eNBにアクセスする場合と同様の無線通信技術（E-UTRA technology）を用いて行われてもよいし、Wireless Local Area Network (WLAN)の無線技術（つまり、IEEE 802.11 radio technology）を用いて行われてもよい。【０００５】
3GPP Release 12及びRelease 13では、直接通信または直接ディスカバリに用いられる無線端末（UEs）間の無線リンクは、サイドリンク（Sidelink）と呼ばれる。サイドリンク送信は、アップリンク及びダウンリンクのために定義されたLong Term Evolution（LTE）フレーム構造と同じフレーム構造を使用し、周波数および時間ドメインにおいてアップリンク・リソースのサブセットを使用する。無線端末（UE）は、アップリンクと同様のシングルキャリア周波数分割多重（Single Carrier FDMA（Frequency Division Multiple Access）、SC-FDMA）を使用してサイドリンク送信を行う。【０００６】
3GPP 12 ProSeでは、サイドリンク送信のための無線リソースのUEへの割り当ては、無線アクセスネットワーク（e.g., Evolved Universal Terrestrial Radio Access Network（E-UTRAN））によって行われる。ProSe functionによってサイドリンク通信を許可されたUEは、無線アクセスネットワークノード（e.g., eNodeB（eNB））によって割り当てられた無線リソースを使用してProSe直接ディスカバリ又はProSe直接通信を行う。【０００７】
ProSe直接通信に関しては、２つのリソース割り当てモード、つまりscheduled resource allocation 及び autonomous resource selectionが規定されているscheduled resource allocation 及び autonomous resource selection は、それぞれ“sidelink transmission mode 1”及び“sidelink transmission mode 2”と呼ばれる。【０００８】
ProSe直接通信のscheduled resource allocationでは、UEがサイドリンク送信を希望する場合、当該UEがサイドリンク送信のための無線リソース割り当てをeNBに要求し、eNBがサイドリンク・コントロール及びデータのためのリソースを当該UEに割り当てる。具体的には、UEは、アップリンク（UL）データ送信リソース（Uplink Shared Channel（UL-SCH）リソース）を要求するためにスケジューリング・リクエストをeNB に送信し、アップリンクグラント（UL grant）で割り当てられたULデータ送信リソースにおいてSidelink Buffer Status Report（Sidelink BSR）をeNBに送信する。eNBは、Sidelink BSRに基づいてUEに割り当てるサイドリンク送信リソースを決定し、サイドリンク・グラント（SL grant）をUEに送信する。【０００９】
SL grantは、Downlink Control Information（DCI） format 5として定義されている。SL grant（DCI format 5）は、Resource for PSCCH、Resource block assignment and hopping allocation、及びtime resource pattern indexなどのコンテンツを含む。Resource for PSCCHは、サイドリンク制御チャネル（i.e., Physical Sidelink Control Channel（PSCCH））用の無線リソースを示す。Resource block assignment and hopping allocationは、サイドリンクでのデータ送信用のサイドリンク・データチャネル（i.e., Physical Sidelink Shared Channel（PSSCH））を送信するための周波数リソース、つまりサブキャリア（リソースブロック）のセット、を決定するために使用される。Time resource pattern indexは、PSSCHを送信するための時間リソース、つまりサブフレームのセット、を決定するために使用される。【００１０】
なお、厳密に述べると、リソースブロックは、LTE及びLTE-Advancedの時間−周波数リソースを意味し、時間ドメインにおいて連続する複数個のOFDM（又はSC-FDMA）シンボルと周波数ドメインにおいて連続する複数個のサブキャリアによって規定されるリソース単位である。Normal cyclic prefixの場合、１リソースブロックは、時間ドメインにおいて連続する１２OFDM（又はSC-FDMA）シンボルを含み、周波数ドメインにおいて１２サブキャリアを含む。【００１１】
すなわち、Resource block assignment and hopping allocationおよびTime resource pattern indexは、PSSCHを送信するためのリソースブロックを指定する。UE（つまり、サイドリンク送信UE）は、SL grantに従ってPSCCHリソースおよびPSSCHリソースを決める。【００１２】
一方、ProSe直接通信のautonomous resource selectionでは、UEは、eNBによって設定されたリソースプールの中から、サイドリンク・コントロール（PSCCH）及びデータ（PSSCH）のためのリソースを自律的に選択する。eNBは、System Information Block（SIB）18において、autonomous resource selectionに使用するためのリソースプールをUEに割り当ててもよい。なお、eNBは、Radio Resource Control (RRC)_CONNECTEDのUEに対して、個別（dedicated）RRCシグナリングで、autonomous resource selectionに使用するためのリソースプールを割り当ててもよい。このリソースプールは、UEがRRC_IDLEであるときにも利用可能であってもよい。【００１３】
サイドリンクでの直接送信を行う場合、送信側のUE（D2D transmitting UE）（以下、送信端末又は送信UEとする）は、サイドリンク制御チャネル（i.e., PSCCH）用の無線リソース領域（resource pool）を使って、スケジューリング割当情報（Scheduling Assignment）を送信する。スケジューリング割当情報は、Sidelink Control Information (SCI) format 0とも呼ばれる。スケジューリング割当情報は、resource block assignment and hopping allocation、time resource pattern index、及び Modulation and Coding Scheme（MCS）などのコンテンツを含む。上述したscheduled resource allocation の場合、Scheduling Assignment（SCI format 0）が示す Resource block assignment and hopping allocation及びtime resource pattern indexは、eNBから受信したSL grant（DCI format 5）が示すResource block assignment and hopping allocation及びtime resource pattern indexに従う。【００１４】
送信UEは、スケジューリング割当情報に従った無線リソースを使って、PSSCHにおいてデータを送信する。受信側のUE（D2D receiving UE）（以下、受信UE又は受信端末とする）は、送信UEからのスケジューリング割当情報をPSCCHにおいて受信し、そのスケジューリング割当情報に従ってPSSCHにおいてデータを受信する。なお、ここで送信UEとの用語は、UEの送信動作に着目した表現であって、送信専用のUEを意味するものではない。同様に、受信UEとの用語は、UEの受信動作に着目した表現であり、受信専用のUEを意味するものではない。すなわち、送信UEは受信動作を行うことも可能であり、受信UEは送信動作を行うことも可能である。【００１５】
ProSe直接ディスカバリに関しても、２つのリソース割り当てモード、つまりautonomous resource selection及びscheduled resource allocationが規定されている。autonomous resource selection及びscheduled resource allocation は、それぞれ“sidelink discovery Type 1”及び“sidelink discovery Type 2”と呼ばれる。【００１６】
ProSe直接ディスカバリのautonomous resource selection（sidelink discovery Type 1）では、ディスカバリ信号（i.e., Physical Sidelink Shared Channel (PSDCH)）の送信（アナウンシング）を希望するUEがリソースプールの中から自律的に無線リソースを選択する。すなわち、Sidelink discovery Type 1では、無線リソースは、UEに依らずに（on a non-UE specific basis）割り当てられる。【００１７】
一方、ProSe直接ディスカバリのscheduled resource allocation（sidelink discovery Type 2）では、UEがアナウンス用のリソース割り当てをRRCシグナリングでeNBに要求する。eNBは、リソースプールの中からアナウンス用のリソースをUEに割り当てる。scheduled resource allocationが使用される場合、eNBは、System Information Block （SIB 19）においてProSe直接ディスカバリのモニター用のリソースの提供をサポートするが、アナウンスメント用のリソースは提供しないことを示す。Type 2については、Type 2AおよびType 2Bの２通りが検討されていたが、現在のRelease 12及びRelease 13では、Type 2Bのみが規定されている。Type 2Bでは、eNBは、ディスカバリ信号（PSDCH）送信のために無線リソースを準静的（semi-persistent）にUEに割り当てる。これに対して、現在のRelease 12及びRelease 13では規定されていないが、Type 2Aでは、eNBは、ディスカバリ信号（PSDCH）送信のための無線リソースをディスカバリ・ピリオド（period）PSDCHピリオド）毎に動的にUEに割り当てる。
【先行技術文献】
【特許文献】
【００１８】
【特許文献１】国際公開第２０１６／１９４２７９号
【特許文献２】国際公開第２０１２／１４４９４１号
【発明の概要】
【発明が解決しようとする課題】
【００１９】
発明者は、D2D通信に関するいくつかの課題を見出し、これらの課題に対処するためのいくつかの改良を得た。【００２０】
第１に、発明者は、複数のD2D送信の間での無線リソースの空間再利用を許容するアーキテクチャについて検討した。複数のD2D送信が同一の無線リソースを同時に使用することで、無線リソースの利用効率が向上する。無線リソースは、例えば、時間リソース、周波数リソース、時間−周波数リソース、直交符号リソース、若しくは送信電力リソース、又はこれらの任意の組合せである。3GPP ProSeの場合、無線リソースは、時間−周波数リソースであり、その最小単位は上述のリソースブロックである。しかしながら、互いに近接する複数のD2D通信ペアが同一の無線リソースを同時に使用すると、複数のD2D送信の間で干渉が発生するおそれがある。なお、本明細書における「D2D通信ペア」及び「D2Dペア」との用語は、D2D送信を行うD2D送信端末（UE）とD2D受信端末（UE）のペアを意味する。【００２１】
発明者は、互いに近接していない２つのD2D通信ペアによる同一の無線リソースの空間再利用を許容するが互いに近接する２つのD2D通信ペアによる同一の無線リソースの使用を制限する割り当てルールに従って、複数のD2D送信に無線リソースを割り当てることを含む無線リソース割り当て方法を考案した（特許文献１を参照）。特許文献１に開示された方法は、複数のD2D送信の間での無線リソースの効率的な空間再利用を可能とすることに寄与できる。【００２２】
さらに、特許文献１は、基地局が、D2D通信ペア（又は送信端末）によるD2D送信に無線リソースを割り当てる際に、当該D2D通信ペア（又は送信端末）が隣接セルに属する無線端末との近接関係（proximity relation）を有するか否かを考慮することを開示している。具体的には、基地局は、自身が運用するセル（第１のセルと呼ぶ）のカバレッジ内に位置する第１のD2D通信ペアが隣接セル（第２のセルと呼ぶ）に属する隣接セル無線端末（又は隣接セルD2D通信ペア）との近接関係を有するか否かを検出する。そして、基地局は、第２のセルに属する無線端末（又はD2D通信ペア）が第１のD2D通信ペアに近接して位置している場合に、第１のセルに予め設定された第１の優先無線リソースを他の無線リソースよりも優先的に当該第１のD2D通信ペアによって行われるD2D送信に対して割り当てる。一方、基地局は、隣接セル無線端末（又は隣接セルD2D通信ペア）との近接関係を持たないD2D通信ペアによって行われるD2D送信に対して、第１の優先無線リソースを除く他の無線リソースを優先的に割り当てる。第１のセルの優先無線リソースを除く他の無線リソースは、第２のセルに設定された優先無線リソースと、第１及び第２のセルのいずれの優先無線リソースにも設定されていない非優先無線リソースを含んでもよい。このような無線リソース割り当て動作は、隣接セル間での無線リソースの干渉を抑制することに寄与できる。【００２３】
発明者は、特許文献１に開示された無線リソース割り当て方法の改良について検討した。特許文献１に開示された幾つかの実装では、第１のセル、第２のセル、及び第３のセルの３つのセルが隣接している場合、第１のセルを運用する第１の基地局は、第１のD2D通信ペアが第２又は第３のセルに属するD2D無線端末の近傍に位置する場合に、当該第１のD2D通信ペアに割り当て可能なリソースを、少なくとも３つのセル間で共用されるD2D無線リソース全体のうちの第１のセルの優先リソースに制限する。しかしながら、もし第１のD2D通信ペアが第２のセルに属するD2D無線端末と近接しているものの第３のセルに属するD2D無線端末と近接していないなら、第３のセルの優先リソースも第１のD2D通信ペアに割当可能であることが無線リソースの利用効率の観点から好ましいかもしれない。【００２４】
なお、特許文献２は、セル間でのD2D通信の干渉を回避するために、基地局がD2D割り当てリソースを隣接基地局に通知することを開示している。しかしながら、引用文献２は、上述の課題を解決するための教示を含んでいない。【００２５】
本明細書に開示される実施形態が達成しようとする目的の１つは、少なくとも３つの互いに隣接するセルの間で共用されるD2D無線リソースの効率的な利用に寄与する装置、方法、及びプログラムを提供することである。なお、これらの目的は、本明細書に開示される複数の実施形態が達成しようとする複数の目的の例示であることに留意されるべきである。その他の目的又は課題と新規な特徴は、本明細書の記述又は添付図面から明らかにされる。
【課題を解決するための手段】
【００２６】
第１の態様では、処理装置は、少なくとも１つのメモリ、及び前記少なくとも１つのメモリに結合された少なくとも１つのプロセッサを含む。前記少なくとも１つのプロセッサは、第１のセルに属する第１のdevice-to-device（D2D）通信ペアの近傍に位置する１又はそれ以上の隣接セルD2D無線端末が属している１又はそれ以上の隣接セルの数を取得するよう構成される。さらに、前記少なくとも１つのプロセッサは、前記第１のセルを含む３又はそれ以上の複数のセルの間で共用されるD2D無線リソースのうち前記第１のD2D通信ペアに割り当て可能な第１の部分を、前記１又はそれ以上の隣接セルの数に依存して決定するよう構成される。【００２７】
第２の態様では、方法は、
（ａ）第１のセルに属する第１のdevice-to-device（D2D）通信ペアの近傍に位置する１又はそれ以上の隣接セルD2D無線端末が属している１又はそれ以上の隣接セルの数を取得すること、及び
（ｂ）前記第１のセルを含む３又はそれ以上の複数のセルの間で共用されるD2D無線リソースのうち前記第１のD2D通信ペアに割り当て可能な第１の部分を、前記１又はそれ以上の隣接セルの数に依存して決定すること、
を含む。【００２８】
第３の態様では、プログラムは、コンピュータに読み込まれた場合に、上述の第２の態様に係る方法をコンピュータに行わせるための命令群（ソフトウェアコード）を含む。
【発明の効果】
【００２９】
上述の態様によれば、少なくとも３つの互いに隣接するセルの間で共用されるD2D無線リソースの効率的な利用に寄与する装置、方法、及びプログラムを提供できる。
【図面の簡単な説明】
【００３０】
【図１】実施形態に係る無線通信ネットワークの構成例を示す図である。
【図２】実施形態に係るD2D送信への割当可能リソースを決定する方法の一例を示すフローチャートである。
【図３】PSCCHピリオド（サイドリンク制御ピリオド）を示す図である。
【図４】PSCCHピリオド内のPSCCHサブフレーム・プールとPSSCHサブフレーム・プールの一例を示す図である。
【図５】実施形態に係るD2D送信への割当可能リソースを決定する方法の一例を説明するための複数のD2D通信ペアの近接関係の一例を示す図である。
【図６】実施形態に係る、少なくとも３つの互いに隣接するセルの間で共用されるD2D無線リソースの分割パターン（patterns）の一例を示す図である。
【図７】実施形態に係る、少なくとも３つの互いに隣接するセルの間で共用されるD2D無線リソースの分割パターン（patterns）の一例を示す図である。
【図８】実施形態に係る分割パターンの周期的な変更の一例を示す図である。
【図９】実施形態に係る分割パターンの周期的な変更の一例を示す図である。
【図１０】実施形態に係る分割パターンの周期的な変更の一例を説明するための複数のD2D通信ペアの近接関係の一例を示す図である。
【図１１】実施形態に係る分割パターンの周期的な変更の一例を説明するための複数のD2D通信ペアの近接関係の一例を示す図である。
【図１２Ａ】実施形態に係る分割パターンの周期的な変更の一例を示す図である。
【図１２Ｂ】実施形態に係る分割パターンの周期的な変更の一例を示す図である。
【図１３】実施形態に係る基地局の動作の一例を示すフローチャートである。
【図１４】実施形態に係る基地局の動作の一例を示すフローチャートである。
【図１５】実施形態に係る基地局間のシグナリングの一例を示すフローチャートである。
【図１６】実施形態に係る基地局間のシグナリングの一例を示すフローチャートである。
【図１７】実施形態に係る無線端末の動作の一例を示すフローチャートである。
【図１８】幾つかの実施形態に係る無線端末の構成例を示すブロック図である。
【図１９】幾つかの実施形態に係る基地局の構成例を示すブロック図である。
【発明を実施するための形態】
【００３１】
以下では、具体的な実施形態について、図面を参照しながら詳細に説明する。各図面において、同一又は対応する要素には同一の符号が付されており、説明の明確化のため、必要に応じて重複説明は省略される。
【００３２】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００３３】
以下に示される複数の実施形態は、3GPP Release 12（LTE-Advanced）及びRelease 13（LTE-Advanced Pro）に規定されたProSeの改良を主な対象として説明される。しかしながら、これらの実施形態は、LTE-Advanced並びにLTE-Advanced Pro 及びそれらの改良に限定されるものではなく、他のモバイル通信ネットワーク又はシステムでのD2D通信に適用されてもよい。
【００３４】
＜第１の実施形態＞
図１は、本実施形態に係る無線通信ネットワークの構成例を示している。具体的には、図１は、D2D通信ペア２Ａ〜２Ｃを示している。D2D通信ペア２Ａは、送信端末（UE）１Ａ及び受信端末（UE）１Ｂを含む。同様に、D2D通信ペア２Ｂは、送信UE１Ｃ及び受信UE１Ｄを含む。D2D通信ペア２Ｃは、送信UE１Ｅ及び受信UE１Ｆを含む。例えば、送信UE１Ａは、D2Dリンク１０１Ａ上でUE１ＢへのD2D送信（サイドリンク送信）を行う。同様に、送信UE１Ｃは、D2Dリンク１０１Ｂ上でUE１ＤへのD2D送信（サイドリンク送信）を行い、送信UE１Ｅは、D2Dリンク１０１Ｃ上でUE１ＦへのD2D送信（サイドリンク送信）を行う。
【００３５】
以下の説明では、UE１Ａ〜１Ｆを含む複数のUEに共通する事項を説明する場合、参照符号１を用いて単に“UE１”が参照される。同様に、D2D通信ペア２Ａ〜２Ｃを含む複数のD2D通信ペアに共通する事項を説明する場合、参照符号２を用いて単に“D2D通信ペア２”が参照される。D2Dリンク１０１Ａ〜１０１Ｃを含む複数のD2Dリンクに共通する事項を説明する場合、参照符号１０１を用いて単に“D2Dリンク１０１”が参照される。
【００３６】
UE１は、少なくとも１つの無線トランシーバを有し、１又はそれ以上のD2Dリンク（e.g., D2Dリンク１０１Ａ）上で１又はそれ以上の他のUE１とD2D通信を行うよう構成されている。既に説明したように、3GPPでは、D2Dリンクは、PC5インタフェース又はサイドリンクと呼ばれる。当該D2D通信は、少なくとも直接通信（i.e., ProSe Direct Communication）を含み、直接ディスカバリ（i.e.,  ProSe Direct Discovery）をさらに含んでもよい。なお、ProSe Direct Communication は、サイドリンク送信を利用する直接通信であり、Sidelink Direct Communicationとも呼ばれる。同様に、ProSe Direct Discoveryは、サイドリンク送信を利用する直接ディスカバリであり、Sidelink Direct Discoveryとも呼ばれる。さらに、UE１は、基地局（eNB）３により提供されるセルラーカバレッジ（セル）３１内においてeNB３とのセルラー通信を行うよう構成されている。
【００３７】
eNB３Ａ及び３Ｂは、無線アクセスネットワーク（i.e., E-UTRAN）内に配置されたエンティティである。eNB３Ａは、１又は複数のセルを含むセルラーカバレッジ３１Ａを提供し、セルラー通信技術（e.g., E-UTRA technology）を用いて各UE１とセルラー通信を行うよう構成されている。同様に、ｅＮＢ３Ｂは、セルラーカバレッジ３１Ｂを提供し、セルラー通信技術（e.g., E-UTRA technology）を用いて各UE１とセルラー通信を行うよう構成されている。以下の説明では、eNB３Ａ及び３Ｂを含む複数のeNBに共通する事項を説明する場合、参照符号３を用いて単に“eNB３”が参照される。
【００３８】
本実施形態では、D2D送信への無線リソース割り当てのためにscheduled resource allocationが採用される。すなわち、eNB３は、各D2D通信ペア２内の送信UE（e.g., UE１Ａ）と通信し、D2D送信ための無線リソースを当該送信UEに割り当てる。さらに、幾つかの実装において、eNB３は、自身のセル３１内でのD2D無線リソースの空間再利用を許可してもよい。例えば、eNB３は、自身のセル３１内の複数のD2D通信ペア２の近接関係（proximity relation又はneighbor relation）を考慮し、これらD2D通信ペア２による複数のD2D送信（又は送信UE１）に無線リソースを割り当ててもよい。より具体的には、基地局３は、互いに近接していない２つのD2D通信ペア２による同一の無線リソースの空間再利用を許容するが互いに近接する２つのD2D通信ペアによる同一の無線リソースの使用を制限する割り当てルールに従って、自身のセル３１内で行われる複数のD2D送信に無線リソースを割り当ててもよい。これらの実装は、互いに近接する複数のD2D通信ペア２による複数のD2D送信が互いに干渉することを抑制しつつ、D2D無線リソースの効率的な空間再利用を可能とすることに寄与できる。
【００３９】
さらに、本実施形態に係るeNB３は、自身のセル３１のカバレッジ内に位置するD2D通信ペア２（又は送信UE）によるD2D送信にD2D無線リソースを割り当てる際に、当該D2D通信ペア２が隣接セルに属するD2D通信ペア２と近接関係にあるか否かを考慮するよう構成されている。具体的には、eNB３は、自身のセル３１を含む３又はそれ以上の複数のセルの間で共用されるD2D無線リソースのうち自身のセル３１に属する第１のD2D通信ペアに割り当て可能な第１の部分（portion、part、section）を、当該第１のD2D通信ペアの近傍に位置する１又はそれ以上の隣接セルD2D通信ペア（又は隣接セルD2D UE）が属している１又はそれ以上の隣接セルの数に依存して決定する。ここで、２つのD2D通信ペアの近接は、一方のD2D通信ペアに属するD2D送信UE又はD2D受信UEと他方のD2D通信ペアに属するD2D送信UE又はD2D受信UEとの間の近接であってもよい。
【００４０】
図２は、eNB３の動作の一例（処理２００）を示すフローチャートである。ステップ２０１では、eNB３は、自身のセル３１に属する第１のD2D通信ペアの近傍に位置する１又はそれ以上の隣接セルD2D通信ペア（又はD2D送信UE若しくはD2D受信UE）を検出する。
【００４１】
一例において、２つのD2D通信ペアの間の近接関係は、一方のペアの送信UEと他方のペアの送信UEとが互いに近傍に位置するか否かによって評価されてもよい。これに代えて、２つのD2D通信ペアの間の近接関係は、一方のペアの送信UEと他方のペアの受信UEとが互いに近接して位置しているか否かによって評価されてもよい。
【００４２】
eNB３は、２つのD2D通信ペア２が互いに近接しているか否かを判定するよう構成されてもよい。いくつかの実装において、eNB３は、２つのD2D通信ペア２が互いに近接しているか否かを判定するために、２つのD2D通信ペア２の少なくとも一方に属する少なくとも１つのUE１から報告された近接UEの検出結果を使用してもよい。
【００４３】
近接UEの検出結果は、UE１が直接ディスカバリ手順で発見されたUEを示してもよい。近接UEの検出結果は、例えば、（ａ）１又はそれ以上の近接UEの識別子、（ｂ）１又は複数の近接UEが属する１又は複数のD2D通信ペアの識別子、及び（ｃ）１又はそれ以上の近接UEの各々が関連付けられているeNB又はセルの識別子を含んでもよい。近接UEの検出結果は、さらに、（ｄ）１又はそれ以上の近接UEからの信号（e.g., ディスカバリ信号）の受信信号電力、及び（ｅ）１又はそれ以上の近接UEの検出回数、のうち少なくとも１つを含んでもよい。直接ディスカバリ手順においてUE１が送信する信号（ディスカバリ信号又は応答信号）は、（ａ）自身（送信元UE）の識別子、及び（ｂ）自身（送信元UE）が属する１又は複数のD2D通信ペアの識別子、及び（ｃ）自身（送信元UE）が関連付けられているeNB又はセルの識別子を含んでもよい。
【００４４】
UE１は、近接UEの検出結果を周期的にeNB３に報告してもよいし、非周期的に報告してもよい。UE１は、例えば、近接UEのリストに変更があった場合に、近接UEの検出結果をeNB３に送信してもよい。
【００４５】
一例において、eNB３は、UE１が属するD2D通信ペアと当該UE１によって検出された近接UEが属するD2D通信ペアとが互いに近接している（近接関係にある）と判定してもよい。他の例において、eNB３は、２つのD2D通信ペアの間の近接度（proximityレベル）を３段階以上の多段階で評価してもよい。この場合、eNB３は、UE１における近接UEからの信号（e.g., ディスカバリ信号）の受信信号電力に基づいて、２つのD2D通信ペアの近接度（proximityレベル）を判定してもよい。
【００４６】
これに代えて、いくつかの実装において、eNB３は、２つのD2D通信ペア２が互いに近接しているか否かを判定するために、各D2D通信ペア２に含まれるUE１の位置情報を使用してもよい。UE１の位置情報は、当該UE１の地理的な位置を明示的又は暗示的に示す。UE１の位置情報は、Global Navigation Satellite System（GNSS）レシーバによって得られるGNSS位置情報を含んでもよい。GNSS位置情報は、緯度及び経度を示す。さらに又はこれに代えて、UE１の位置情報は、Radio Frequency（RF）フィンガープリントを含んでもよい。RFフィンガープリントは、UE１によって測定された周辺セル測定情報（e.g., セルID及びReference Signal Received Power（RSRP））を含む。
【００４７】
eNB３は、UE１の位置情報を当該UE１から直接的に受信してもよいし、サーバを介して受信してもよい。例えば、eNB３は、ネットワークレベル・ディスカバリ手順を使用して取得されたUE１の位置情報を利用してもよい。ネットワークレベル・ディスカバリ手順は、例えば、EPC-level ProSe Discoveryである。EPC-level ProSe Discoveryでは、UEsは自身の現在位置を推定することができる位置情報を間欠的（intermittently）にネットワークに送信し、ネットワーク（i.e., ProSe function エンティティ）はUEsから受信した位置情報に基づいてこれらの近接を判定する。これに代えて、eNB３は、UE１のMinimization of Drive Tests（MDT）機能によって得られたLogged MDT測定データに含まれる位置情報を使用してもよい。
【００４８】
一例において、eNB３は、位置情報から導出される２つのUE１の地理的距離が所定の閾値より小さい場合に、これら２つのUE１のそれぞれが属する２つのD2D通信ペア２が近接している（近接関係にある）と判定してもよい。他の例において、eNB３は、２つのD2D通信ペアの間の近接度（proximityレベル）を３段階以上の多段階で評価してもよい。この場合、eNB３は、位置情報から導出される２つのUE１の地理的距離に基づいて、２つのD2D通信ペアの近接度（proximityレベル）を判定してもよい。
【００４９】
ステップ２０２では、eNB３は、検出された１又はそれ以上の隣接セルD2D通信ペアが属している１又はそれ以上の隣接セルの数を取得する。ステップ２０３では、eNB３は、自身のセル３１を含む３又はそれ以上のセルの間で共用されるD2D無線リソースのうち当該第１のD2D通信ペアに割り当て可能な第１の部分を、取得された１又はそれ以上の隣接セルの数に依存して決定する。言い換えると、eNB３は、各D2D通信ペア２に近接して位置する隣接セルD2D通信ペアが属している隣接セルの数に依存して、３又はそれ以上の隣接セルの間で共用されるD2D無線リソースのうち当該D2D通信ペア２に割り当て可能なリソース部分のサイズを動的に増加または減少する。
【００５０】
本実施形態に係るD2D送信への割当可能リソースを決定する方法に従ったリソース割り当ての具体例を説明する前に、3GPP Proseのサイドリンク制御周期（sidelink control period）、PSCCHのためのリソースプール、及びPSSCHのためのリソースプールについて説明する。これらは、PSCCHを送信するための無線リソース（i.e., subframes及びresource blocks）及びPSSCHを送信するための無線リソースを決定するために必要である。既に説明したように、PSCCHは、スケジューリング割当情報などのサイドリンク制御情報（Sidelink Control Information (SCI)）の送信に使用されるサイドリンクの物理チャネルである。一方、PSSCHは、ユーザデータ送信（ダイレクト送信）のために使用されるサイドリンクの物理チャネルである。
【００５１】
サイドリンク制御周期（sidelink control period）は、サイドリンクのためのスケジューリング周期である（図３を参照）。サイドリンク制御周期は、PSCCH周期（PSCCH period）とも呼ばれる。サイドリンク制御周期は、D2Dスケジューリング周期と呼ぶこともできる。送信UEは、サイドリンク制御周期毎にスケジューリング割当情報（i.e., SCI format 0）を送信する。3GPP Release 12では、サイドリンク制御周期は、40ミリ秒（ms）, 60 ms, 70 ms, 80 ms, 120 ms, 140 ms, 160 ms, 240 ms, 280 ms, 又は320 msである。言い換えると、サイドリンク制御周期は、40サブフレーム, 60サブフレーム, 70サブフレーム, 80サブフレーム, 120サブフレーム, 140サブフレーム, 160サブフレーム, 240サブフレーム, 280サブフレーム, 又は320サブフレームである。
【００５２】
次に、PSCCHリソースプール及びPSSCHリソースプールについて説明する。PSCCHのためのリソースプールは、サブフレーム・プールとリソースブロック・プールから成る。図４は、PSCCHのためのサブフレーム・プールを示している。
【００５３】
eNBは、PSCCHのためのサブフレーム・プールを特定するために、サイドリンク制御周期（PSCCH期間）の長さ（P）、並びにPSCCHのためのサブフレーム・ビットマップ及びその長さ（N’）を指定する。サブフレーム・ビットマップの長さ（N’）は、4、8、12、16、30、40又は42 bitsである。当該サブフレーム・ビットマップに対応するN’サブフレームは、図４に示されるように、サイドリンク制御周期内の最初のN’サブフレームである。サブフレーム・ビットマップは、“0”にセットされたビットに対応するサブフレームがPSCCH送信に使用されないことを示し、“1”にセットされたビットに対応するサブフレームがPSCCH送信に使用できることを示す。したがって、１つのサイドリンク制御周期内のPSCCHリソースプールに含まれるサブフレーム数（LPSCCH）は、サブフレーム・ビットマップで値１が指定されている数に等しい。PSCCHリソースプール（つまり、サブフレーム・プール）に含まれるサブフレームは、以下のように表すことができる：
【数１】
2018193676.tif 000003
【００５４】
次に、PSSCHのためのリソースプールの指定方法について説明する。Scheduled resource allocation（sidelink transmission mode 1）の場合、eNBは、PSSCHのためのサブフレーム・プールをSIB 18又は個別シグナリング（RRCシグナリング）で指定する。PSCCHリソース設定に関連付けられサイドリンク制御周期（PSCCH周期）は、PSSCHリソース設定にもさらに関連付けられる。UEは、サブフレーム・プールから成るPSSCHリソースプールを以下のように決定する。すなわち、図４に示されるように、サイドリンク制御期間（PSCCH期間）内において、lPSCCH_{LPSCCH-1} + 1と同じかこれより大きいサブフレーム・インデックスを持つ各サブフレームは、PSSCHのためのサブフレーム・プールに属する。
【００５５】
ただし、PSSCHリソースの割り当てはtime resource pattern indexを用いて６、７又は８サブフレーム（6, 7, or 8 ms）単位で指定される。したがって、１つのサイドリンク制御周期の間は、６、７又は８サブフレーム周期で同じPSSCHリソースの割り当てが使用される。Frequency division duplex（FDD）の場合、PSSCHリソースの割り当て周期（i.e., time resource pattern）は、８サブフレームである。一方、TDDの場合、PSSCHリソースの割り当て周期（i.e., time resource pattern）は、TDD UL/DL configurationに応じて６、７又は８サブフレームとされる。既に説明したように、eNBは、time resource pattern indexを含むSL grantを送信UEに送る。SL grantは、Downlink Control Information（DCI） format 5として定義されている。
【００５６】
図５は、複数のD2D通信ペアの近接関係の一例を示す図である。図５の例では、D2D通信ペア２Ｄ、２Ｅ、及び２Ｆは、eNB３Ａによって運用されるセル３１Ａに属する。D2D通信ペア２Ｇは、eNB３Ｂによって運用されるセル３１Ｂに属する。D2D通信ペア２Ｈは、eNB３Ｃによって運用されるセル３１Ｃに属する。D2D通信ペア２Ｊは、eNB３Ｄによって運用されるセル３１Ｄに属する。
【００５７】
さらに、図５の例では、D2D通信ペア２Ｄは、いずれの隣接セルD2D通信ペアとも近接関係を有していない。一方、D2D通信ペア２Ｅは、１つの隣接セル３１Ｂに属する１つの隣接セルD2D通信ペア２Ｇと近接関係を有する。さらに、D2D通信ペア２Ｆは２つの隣接セルD2D通信ペア２Ｈ及び２Ｊと近接関係を有し、且つこれら２つの隣接セルD2D通信ペア２Ｈ及び２Ｊは互いに異なる２つの隣接セル３１Ｃ及び３１Ｄに属する。
【００５８】
図５に示されたeNB３Ａは、自身のセル３１Ａに属する各D2D通信ペア２に割り当て可能なリソース（つまり、上述の第１の部分）を、各D2D通信ペア２に近接して位置する１又はそれ以上の隣接セルD2D通信ペアが属している１又はそれ以上の隣接セルの数（以下ではN_NCと呼ぶ）に依存して決定する。したがって、図５に示されたeNB３Ａは、自身のセル３１Ａに属する３つのD2D通信ペア２Ｄ、２Ｅ、及び２Ｆのためにそれぞれ異なる割り当て可能リソース（つまり、上述の第１の部分）を決定する。
【００５９】
図６は、３つの隣接セルの間で共用されるD2D無線リソースの分割パターン（patterns）の一例を示している。図６は、３サブフレームの割り当てを示している。これは、time resource pattern indexが６、７又は８サブフレームのうち３つのサブフレームをPSSCHリソースに指定する場合に対応する。
【００６０】
図６の例では、D2D通信ペア２に近接して位置する１又はそれ以上の隣接セルD2D通信ペアが属している隣接セルの数（N_NC）が０であるとき、当該D2D通信ペア２に割り当て可能なリソース部分（i.e.,第１の部分）は、３又はそれ以上の隣接セルの間で共用されるD2D無線リソースの全体６０１である。一方、N_NCが１であるとき、当該D2D通信ペア２に割り当て可能なリソース部分（i.e.,第１の部分）は、共用されるD2D無線リソースの半分の部分６０２である。さらに、N_NCが２であるとき、当該D2D通信ペア２に割り当て可能なリソース部分（i.e.,第１の部分）は、共用されるD2D無線リソースの３分の１の部分６０３である。図６に示されるように、各D2D通信ペア２に割り当て可能なリソース部分は、優先リソース（priority resources）と呼ばれてもよい。すなわち、図６の例では、eNB３は、各D2D通信ペア２に近接して位置する１又はそれ以上の隣接セルD2D通信ペアが属している隣接セルの数（N_NC）が大きいほど、当該D2D通信ペア２に割り当て可能なリソース部分のサイズを減らす。
【００６１】
言い換えると、eNB３は、各D2D通信ペア２への割り当て可能なリソース部分を決定するために、当該D2D通信ペア２に近接して位置する１又はそれ以上の隣接セルD2D通信ペアが属している隣接セルの数（N_NC）に基づいて複数の分割パターンのうち１つを選択する。ここで、複数の分割パターンは、少なくとも３つのセルの間で共用されるD2D無線リソースを互いに異なる数の部分に分割する。
【００６２】
図５に示された複数のD2D通信ペアの近接関係の場合、例えば、eNB３Ａは、少なくとも３つのセル３１Ａ、３１Ｂ、及び３１Ｃの間で共用されるD2D無線リソースの全体６０１をD2D通信ペア２Ｄに割り当て可能なリソース部分（i.e.,第１の部分）として選択する。なぜなら、D2D通信ペア２Ｄは、いずれの隣接セルD2D通信ペアとも近接していないためである。一方、D2D通信ペア２Ｅは１つの隣接セルD2D通信ペア２Ｇと近接している。したがって、eNB３Ａは、共用されるD2D無線リソースの半分の部分６０２をD2D通信ペア２Ｅに割り当て可能なリソース部分（i.e.,第１の部分）として選択する。さらに、D2D通信ペア２Ｆは２つの隣接セルD2D通信ペア２Ｈ及び２Ｊと近接関係を有し、且つこれら２つの隣接セルD2D通信ペア２Ｈ及び２Ｊは互いに異なる２つの隣接セル３１Ｃ及び３１Ｄに属する。したがって、eNB３Ａは、共用されるD2D無線リソースの３分の１の部分６０３をD2D通信ペア２Ｆに割り当て可能なリソース部分（i.e.,第１の部分）として選択する。
【００６３】
図６に示されたN_NCに応じた３つの分割パターンは、eNB３に予め設定されてもよい。幾つかの実装において、これらの分割パターンは、モバイルオペレータによってeNB３に設定されてもよい。これに代えて、eNB３は、１又はそれ以上の隣接セルのeNBs３と予め制御メッセージを交換し、これらの分割パターンを１又はそれ以上の隣接セルのeNBs３とネゴシエートしてもよい。
【００６４】
なお、図６に示された共用されるD2D無線リソースの分割パターン（patterns）は一例に過ぎない。例えば、図７に示されるような時分割パターン（patterns）が使用されてもよい。図７の例では、D2D通信ペア２に近接して位置する１又はそれ以上の隣接セルD2D通信ペアが属している隣接セルの数（N_NC）が０であるとき、当該D2D通信ペア２に割り当て可能なリソース部分（i.e.,第１の部分）は、３又はそれ以上の隣接セルの間で共用されるD2D無線リソースの全体７０１である。一方、N_NCが１であるとき、当該D2D通信ペア２に割り当て可能なリソース部分（i.e.,第１の部分）は、共用されるD2D無線リソースの部分７０２である。さらに、N_NCが２であるとき、当該D2D通信ペア２に割り当て可能なリソース部分（i.e.,第１の部分）は、共用されるD2D無線リソースの３分の１の部分７０３である。
【００６５】
なお、図７の例では、共用されるD2D無線リソースの時間長が３サブフレームであるため、部分７０２は、リソース全体７０１の半分ではない。共用されるD2D無線リソースを２つのセルのために均等に分割するために、N_NCが１であるときの分割パターンは、周期的に変更されてもよい。言い換えると、N_NCが１であるときの分割パターンは、周期的に変更される複数の異なる分割パターンを含んでもよい。
【００６６】
図８は、分割パターンの周期的な変更の一例を示している。図８の例では、N_NCが１であるときの分割パターンが、２つの分割パターンの間でサイドリンク制御周期（PSCCH周期）毎に交互に変更される。セル＃１（e.g., セル３１）のeNB３（e.g., eNB３）は、N_NCが１であるD2D通信ペア２（e.g., D2D通信ペア２Ｅ）に割り当て可能なリソース部分（i.e., 第１の部分）として、PSCCH周期番号（N_PSCCH_PERIOD）が奇数のときに部分８０１を選択し、これが偶数のときに部分８０２を選択する。
【００６７】
図９は、時分割パターン（patterns）の他の例を示している。上述した図７の時分割パターンは、サイドリンク制御周期（PSCCH周期）内の複数のサブフレームのセットを１又はそれ以上の部分に分割する。これに対して、図９の時分割パターンは、複数のサイドリンク制御周期のセットを、複数の１又はそれ以上の部分に分割する。
【００６８】
図９の例では、eNB３は、６つのサイドリンク制御周期６ｍ〜６ｍ＋５（ｍは整数）から各D2D通信ペア２に割り当て可能なリソース部分を選択する。D2D通信ペア２に近接して位置する１又はそれ以上の隣接セルD2D通信ペアが属している隣接セルの数（N_NC）が０であるとき、当該D2D通信ペア２に割り当て可能なリソース部分（i.e.,第１の部分）は、６つのサイドリンク制御周期の全体９０１である。一方、N_NCが１であるとき、当該D2D通信ペア２に割り当て可能なリソース部分（i.e., 第１の部分）は、これら６つのサイドリンク制御周期のうちの３つ（i.e., 部分９０２）である。さらに、N_NCが２であるとき、当該D2D通信ペア２に割り当て可能なリソース部分（i.e.,第１の部分）は、これら６つのサイドリンク制御周期のうちの２つ（i.e., 部分９０３）である。
【００６９】
以上の説明から理解されるように、本実施形態に係るeNB３は、３又はそれ以上の複数のセルの間で共用されるD2D無線リソースのうち自身のセル３１に属する第１のD2D通信ペアに割り当て可能な第１の部分（portion、part、section）を、当該第１のD2D通信ペアの近傍に位置する１又はそれ以上の隣接セルD2D通信ペア（又は隣接セルD2D UE）が属している１又はそれ以上の隣接セルの数に依存して決定する。言い換えると、eNB３は、各D2D通信ペア２に近接して位置する隣接セルD2D通信ペアが属している隣接セルの数に依存して、３又はそれ以上の隣接セルの間で共用されるD2D無線リソースのうち当該D2D通信ペア２に割り当て可能なリソース部分のサイズを動的に増加または減少する。
【００７０】
本実施形態に係る割り当て可能D2Dリソースの決定方法に従うと、例えば、図５に示されたeNB３Ａは、自身のセル３１Ａに属するD2D通信ペア２Ｅへの割り当て可能リソースを決定するために、D2D通信ペア２Ｅが隣接セル３１Ｂに属するD2D通信ペア２Ｇと近接しているものの隣接セル３１Ｅに属するいずれのD2D通信ペアとも近接していないことを考慮する。そして、例えば、図５に示されたeNB３Ａは、隣接セル３１Ｅのための優先リソースを残すことなく、より多くの無線リソースをD2D通信ペア２Ｅへの割り当て可能リソースとして選択できる。したがって、本実施形態に係る割り当て可能D2Dリソースの決定方法は、少なくとも３つの互いに隣接するセルの間で共用されるD2D無線リソースの効率的な利用に寄与できる。
【００７１】
＜第２の実施形態＞
本実施形態は、第１の実施形態で説明された割り当て可能D2Dリソースの決定方法の変形を提供する。図１０は、互いに異なるセルに属する３つのD2D通信ペアの近接関係の一例を示している。図１０の双方向の矢印は、２つのD2D通信ペアがこれら２つのペアの近接を互いに検出していることを表している。すなわち、セル＃１に属するD2D通信ペア＃１は、セル＃２に属するD2D通信ペア＃２との近接を検出しているが、セル＃３に属するD2D通信ペア＃３との近接を検出していない。セル＃３に属するD2D通信ペア＃３は、セル＃２に属するD2D通信ペア＃２との近接を検出しているが、セル＃１に属するD2D通信ペア＃３との近接を検出していない。セル＃２に属するD2D通信ペア＃２は、セル＃１に属するD2D通信ペア＃１及びセル＃３に属するD2D通信ペア＃３との近接を検出している。
【００７２】
図１０の例で、もしD2D通信ペア＃１とD2D通信ペア＃３が実際は相互のD2D通信号が届くほどに近接していたなら、D2D通信ペア＃１がセル＃３の優先リソースを残すことなく多くのD2Dリソースを使用することは、セル＃１とセル＃３の間でD2D通信の干渉を引き起こす。D2D通信ペア＃３がセル＃１の優先リソースを残すことなく多くのD2Dリソースを使用することも同様にセル＃１とセル＃３の間でD2D通信の干渉を引き起こす。
【００７３】
さらに、近接関係の検出は必ずしも対称ではない。例えば、図１１に示されるように、セル＃１のD2D通信ペア＃１はセル＃３のD2D通信ペア＃３との近接を検出しているが、セル＃３のD2D通信ペア＃３はセル＃１のD2D通信ペア＃１との近接を検出していない状況が発生し得る。図１１の片方向実線矢印は、D2D通信ペア＃１がD2D通信ペア＃３をとの近接を検出していることを表している。図１１の片方向破線矢印は、D2D通信ペア＃３がD2D通信ペア＃１との近接に気付いていないことを表している。図１１の例で、D2D通信ペア＃３がセル＃１の優先リソースを残すことなく多くのD2Dリソースを使用することは、セル＃１とセル＃３の間でD2D通信の干渉を引き起こす。
【００７４】
図１０及び図１１に示す状況でのセル＃１とセル＃３の間のD2D通信の干渉を緩和するために、各eNB３は、自身のセル３１のD2D通信ペア２に割り当て可能なリソース部分を、共用されるD2D無線リソースから以下のように選択してもよい。
【００７５】
（１）セル＃１のeNB３は、サブフレーム＃１をセル＃１のデフォルトサブフレームとして設定する。同様に、セル＃２のeNB３はサブフレーム＃２をセル＃２のデフォルトサブフレームとして設定し、セル＃３のeNB３はサブフレーム＃３をセル＃３のデフォルトサブフレームとして設定する。
【００７６】
（２）セル＃１のeNB３は、D2D通信ペア＃１の近傍に位置する隣接セルD2D通信ペアがゼロであるとき、３つのサブフレーム＃１、＃２、＃３の全てをD2D通信ペア＃１に割り当て可能なリソース部分として選択する。
【００７７】
（３）セル＃１のeNB３は、セル＃２のD2D通信ペア＃２及びセル＃３のD2D通信ペア＃３の両方がD2D通信ペア＃１に近接して位置していること検出した場合、セル＃１のデフォルトサブフレーム（i.e., サブフレーム＃１）のみをD2D通信ペア＃１に割り当て可能なリソース部分として選択する。
【００７８】
（４）セル＃１のeNB３は、D2D通信ペア＃１とセル＃２のD2D通信ペア＃２との近接を検出しているが、D2D通信ペア＃１とセル＃３のD2D通信ペア＃３との近接を検出していない場合、セル＃１のデフォルトサブフレーム（i.e., サブフレーム＃１）とセル＃３のデフォルトサブフレーム（i.e., サブフレーム＃３）を、D2D通信ペア＃１に割り当て可能なリソース部分として選択する。ただし、セル＃３のデフォルトサブフレーム（i.e., サブフレーム＃３）は、D2D通信ペア＃１に間欠的に割り当て可能とされる。例えば、セル＃３のデフォルトサブフレーム（i.e., サブフレーム＃３）は、セル＃１のD2D通信ペア＃１とセル＃２のD2D通信ペア＃２との間で交互に使用可能とされてもよい。
【００７９】
図１２Ａは、図１０に示された近接関係に関して、３つのD2D通信ペア＃１、＃２、及び＃３へ割り当て可能なサブフレーム（subframe(s)）の一例を示している。図１２Ａに示されたサブフレーム１２０１、１２０２、及び１２０３は、上述のサブフレーム＃１、＃２、及び＃３にそれぞれ対応する。図１２Ａの例では、D2D通信ペア＃１は、セル＃３のデフォルトサブフレーム＃３（１２０３）を１サイドリンク制御周期おきに（every other sidelink control period）使用する。同様に、D2D通信ペア＃３は、セル＃１のデフォルトサブフレーム＃１（１２０１）を１サイドリンク制御周期おきに（every other sidelink control period）使用する。D2D通信ペア＃２は、D2D通信ペア＃１及び＃３と近接しているから、セル＃２のデフォルトサブフレーム＃２（１２０２）のみを使用する。
【００８０】
図１２Ａに示されたリソース割り当てに従うと、もしD2D通信ペア＃１とD2D通信ペア＃３が実際は相互のD2D通信号が届くほどに近接していたとしても、セル＃１とセル＃３の間のD2D通信の干渉を緩和できる。
【００８１】
また、図１２Ａに示されたリソース割り当てでは、互いに隣接する複数のセル（e.g., セル＃１、セル＃２、及びセル＃３）が互いに異なるデフォルトサブフレームを設定され、各セルのeNB３はこれら複数のセルのデフォルトサブフレームを考慮したD2Dリソース割当を行う。これにより、eNB３は、自セルのD2D通信ペアに近接する別なD2D通信ペアにとっての隣接セルD2D通信ペアを把握することなく、隣接するD2D通信ペア間の干渉を回避できる。
【００８２】
なお、各eNB３は、自身のセルのD2D通信ペアの近傍に位置する隣接セルD2D通信ペアがゼロである場合も、他のセルのデフォルトサブフレームを、当該自身セルのD2D通信ペアの割り当て可能リソースとして間欠的に選択しても良い。例えば、D2D通信ペア＃１に関して検出された隣接セルD2D通信ペアがゼロである場合であっても、図１２Ｂに示されるように、他セルのデフォルトサブフレーム＃２及び＃３は、D2D通信ペア＃１に間欠的に割り当て可能とされてもよい。図１２Ｂの例では、D2D通信ペア＃１は、セル＃２及び＃３のデフォルトサブフレーム＃２及び＃３（１２０２及び１２０３）を１サイドリンク制御周期おきに（every other sidelink control period）使用する。
【００８３】
図１２Ｂに示されたリソース割り当てに従うと、もしD2D通信ペア＃１がD2D通信ペア＃２（又は＃３）に近接して位置していたとしても、セル＃１とセル＃２（又は＃３）の間のD2D通信の干渉を緩和できる。
【００８４】
＜第３の実施形態＞
本実施形態は、第１の実施形態で説明された割り当て可能D2Dリソースの決定方法の変形を提供する。図１３は、eNB３の動作の一例（処理１３００）を示すフローチャートである。ステップ１３０１及びステップ１３０２における処理は、図２のステップ２０１及び２０２の処理と同様である。ステップ１３０３では、eNB３は、３又はそれ以上のセルの間で共用されるD2D無線リソースのうち当該第１のD2D通信ペアに割り当て可能な第１の部分を、検出された隣接セルD2Dペア（又は隣接セルD2D UE）の数にさらに依存して決定する。
【００８５】
例えば、eNB３は、検出された隣接セルD2Dペア（又は隣接セルD2D UE）の数が小さいほど、当該第１の部分のサイズを増やしてもよい。反対に、eNB３は、検出された隣接セルD2Dペア（又は隣接セルD2D UE）の数が大きいほど、当該第１の部分のサイズを減らしてもよい。これにより、D2Dペアの数が多い隣接セルでは使用可能なリソースのサイズが増加し、ユーザスループットが低いD2D通信ペア数を低減できる。
【００８６】
＜第４の実施形態＞
本実施形態は、第１の実施形態で説明された割り当て可能D2Dリソースの決定方法の変形を提供する。図１４は、eNB３の動作の一例（処理１４００）を示すフローチャートである。ステップ１４０１及びステップ１４０２における処理は、図２のステップ２０１及び２０２の処理と同様である。ステップ１４０３では、eNB３は、３又はそれ以上のセルの間で共用されるD2D無線リソースのうち当該第１のD2D通信ペアに割り当て可能な第１の部分を、検出された１又はそれ以上の隣接セルが当該第１のセルと同じセルグループに属するセルを含むか否かにさらに依存して決定する。ここで、セルグループは、共用されるD2D無線リソースの分割パターン（patterns）の同一のセットを使用するセルの集合である。
【００８７】
例えば、各eNB３は、自セルと同じセルグループに属する隣接セルのD2D通信ペアを検出した場合に、同一グループ内のセル間で第１の部分のリソースをさらに分け合うために、第１の部分のリソースを周波数分割または時分割してもよい。これにより、同一セルグープ内のセル間でのD2D通信の干渉を緩和できる。
【００８８】
＜第５の実施形態＞
本実施形態は、eNBs３の間のシグナリングの拡張または改良を提供する。図１５は、本実施形態に係るeNBs３の間のシグナリング（処理１５００）の一例を示す図である。ステップ１５０１では、eNB３Ｂは、検出された隣接セルD2D端末の情報をeNB間インタフェース（e.g., X2インタフェース）を介してeNB３Ａに送る。当該情報は、eNB３Ｂのセル３１Ｂに属するD2D通信ペアとeNB３Ａのセル３１Ａに属するD2D通信ペアとの近接が検出されたか否かを示してもよい。当該情報は、eNB３Ｂ又はセル３１Ｂに属するUE(s)１によって検出された、セル３１Ａに属するD2D通信ペア（又はD2D UE）の識別子を示してもよい。当該情報は、セル３１Ａに属するD2D通信ペア（又はD2D UE）（e.g., Discoveree）を検出したセル３１Ｂに属するD2D通信ペア（又はD2D UE）（e.g., Discoverer）の識別子を示してもよい。当該情報は、２つのD2D通信ペアの間の近接度（proximityレベル）、例えば信号（e.g., ディスカバリ信号）の受信電力レベル、を示してもよい。
【００８９】
図１５の手順を使用することで、各eNB３は、隣接セル間でのD2D通信ペアの近接関係をより正確に把握できる。例えば、各eNB３は、第２の実施形態で説明された検出されていない隣接セルD2D通信ペアとの干渉を回避するためのリソース割り当てが必要であるか否かを、ステップ１５０１の情報に基づいて判定してもよい。
【００９０】
＜第６の実施形態＞
本実施形態は、eNBs３の間のシグナリングの拡張または改良を提供する。図１６は、本実施形態に係るeNBs３の間のシグナリング（処理１６００）の一例を示す図である。ステップ１６０１では、eNB３Ｂは、検出された隣接セルの数に応じて選択された分割パターンを示す情報をeNB間インタフェース（e.g., X2インタフェース）を介してeNB３Ａに送る。ここで、選択された分割パターンは、第１〜第４の実施形態で説明されたいずれかの割り当て可能D2Dリソースの決定方法に従って選択又は決定される。
【００９１】
図１６の手順を使用することで、eNBs３は、少なくとも３つの互いに隣接するセルの間で共用されるD2D無線リソースの分割パターン（patterns）を、互いの間で動的にネゴシエートすることができる。
【００９２】
＜第７の実施形態＞
本実施形態は、直接ディスカバリの改良を提供する。本実施形態に係る直接ディスカバリ手順において、UE１は、D2D通信のためのディスカバリであるか又はそれ以外の用途のためのディスカバリであるかを識別するための情報要素を含む信号を他のUE(s)１に送信又は他のUE(s)１から受信する。なお、ここでのD2D通信は、直接ディスカバリを除く、直接通信（e.g., ProSe直接通信、サイドリンクでの直接送信）を意味する。
【００９３】
いわゆるアナウンスメント・モデル（モデルA）に従って、announcing UE として動作するUE１は、上述の情報要素を含むディスカバリ信号を送信してもよい。monitoring UEは、ディスカバリ信号をannouncing UEから受信することで、当該monitoring UEを検出する。
【００９４】
これに代えて、いわゆる依頼（solicitation）／応答（response）モデル（モデルB）に従って、discoveree UEとして動作するUE１が上述の情報要素を含む応答信号（応答メッセージ）を送信してもよい。discoverer UEは、discoveree UEからの応答メッセージを受信することによって、当該discoveree UEを発見する。
【００９５】
本実施形態のディスカバリ手順を使用することで、UE１は、D2D通信を行っている又は行う予定がある発見されたUE(s)をその他の発見されたUE(s)から区別できる。
【００９６】
図１７は、本実施形態に係るUE１の動作の一例（処理１７００）を示すフローチャートである。ステップ１７０１では、UE１は、ディスカバリ手順においてディスカバリ信号又は応答信号を受信する。ステップ１７０２では、D2D通信のためのディスカバリであるか又はそれ以外の用途のためのディスカバリであるかを識別するための情報要素を、受信した信号から取り出す。ステップ１７０３では、UE１は、隣接セルD2D無線端末が検出されたか否かを判定するために、当該取り出された情報要素を使用する。
【００９７】
続いて以下では、上述の複数の実施形態に係るUE１及びeNB３の構成例について説明する。図１８は、UE１の構成例を示すブロック図である。Radio Frequency（RF）トランシーバ１８０１は、eNB３と通信するためにアナログRF信号処理を行う。RFトランシーバ１８０１により行われるアナログRF信号処理は、周波数アップコンバージョン、周波数ダウンコンバージョン、及び増幅を含む。RFトランシーバ１８０１は、アンテナ１８０２及びベースバンドプロセッサ１８０３と結合される。すなわち、RFトランシーバ１８０１は、変調シンボルデータ（又はOFDMシンボルデータ）をベースバンドプロセッサ１８０３から受信し、送信RF信号を生成し、送信RF信号をアンテナ１８０２に供給する。また、RFトランシーバ１８０１は、アンテナ１８０２によって受信された受信ＲＦ信号に基づいてベースバンド受信信号を生成し、これをベースバンドプロセッサ１８０３に供給する。
【００９８】
ベースバンドプロセッサ１８０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００９９】
例えば、LTEおよびLTE-Advancedの場合、ベースバンドプロセッサ１８０３によるデジタルベースバンド信号処理は、Packet Data Convergence Protocol（PDCP）レイヤ、Radio Link Control（RLC）レイヤ、Medium Access Control（MAC）レイヤ、および物理（PHY）レイヤの信号処理を含んでもよい。また、ベースバンドプロセッサ１８０３によるコントロールプレーン処理は、Non-Access Stratum（NAS）プロトコル、Radio Resource Control（RRC）プロトコル、及びMAC Control Element（MAC CE）の処理を含んでもよい。
【０１００】
ベースバンドプロセッサ１８０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１８０４と共通化されてもよい。
【０１０１】
アプリケーションプロセッサ１８０４は、CPU、MPU、マイクロプロセッサ、又はプロセッサコアとも呼ばれる。アプリケーションプロセッサ１８０４は、複数のプロセッサ（複数のプロセッサコア）を含んでもよい。アプリケーションプロセッサ１８０４は、メモリ１８０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE１の各種機能を実現する。
【０１０２】
いくつかの実装において、図１８に破線（１８０５）で示されているように、ベースバンドプロセッサ１８０３及びアプリケーションプロセッサ１８０４は、１つのチップ上に集積されてもよい。言い換えると、ベースバンドプロセッサ１８０３及びアプリケーションプロセッサ１８０４は、１つのSystem on Chip（SoC）デバイス１８０５として実装されてもよい。SoCデバイスは、システムLarge Scale Integration（LSI）またはチップセットと呼ばれることもある。
【０１０３】
メモリ１８０６は、揮発性メモリ若しくは不揮発性メモリ又はこれらの組合せである。メモリ１８０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１８０６は、ベースバンドプロセッサ１８０３、アプリケーションプロセッサ１８０４、及びSoC１８０５からアクセス可能な外部メモリデバイスを含んでもよい。メモリ１８０６は、ベースバンドプロセッサ１８０３内、アプリケーションプロセッサ１８０４内、又はSoC１８０５内に集積された内蔵メモリデバイスを含んでもよい。さらに、メモリ１８０６は、Universal Integrated Circuit Card（UICC）内のメモリを含んでもよい。
【０１０４】
メモリ１８０６は、上述の複数の実施形態で説明されたUE１による処理を行うための命令群およびデータを含む１又はそれ以上のソフトウェアモジュール（コンピュータプログラム）を格納してもよい。いくつかの実装において、ベースバンドプロセッサ１８０３又はアプリケーションプロセッサ１８０４は、当該ソフトウェアモジュールをメモリ１８０６から読み出して実行することで、上述の実施形態で図面を参照して説明されたUE１の処理を行うよう構成されてもよい。
【０１０５】
図１９は、上述の実施形態に係るeNB３の構成例を示すブロック図である。図１９を参照すると、eNB３は、RFトランシーバ１９０１、ネットワークインターフェース１９０３、プロセッサ１９０４、及びメモリ１９０５を含む。RFトランシーバ１９０１は、UE１と通信するためにアナログRF信号処理を行う。RFトランシーバ１９０１は、複数のトランシーバを含んでもよい。RFトランシーバ１９０１は、アンテナ１９０２及びプロセッサ１９０４と結合される。RFトランシーバ１９０１は、変調シンボルデータ（又はOFDMシンボルデータ）をプロセッサ１９０４から受信し、送信RF信号を生成し、送信RF信号をアンテナ１９０２に供給する。また、RFトランシーバ１９０１は、アンテナ１９０２によって受信された受信ＲＦ信号に基づいてベースバンド受信信号を生成し、これをプロセッサ１９０４に供給する。
【０１０６】
ネットワークインターフェース１９０３は、ネットワークノード（e.g., Mobility Management Entity (MME)およびServing Gateway (S-GW)）と通信するために使用される。ネットワークインターフェース１９０３は、例えば、IEEE 802.3 seriesに準拠したネットワークインターフェースカード（NIC）を含んでもよい。
【０１０７】
プロセッサ１９０４は、無線通信のためのデジタルベースバンド信号処理（データプレーン処理）とコントロールプレーン処理を行う。例えば、LTEおよびLTE-Advancedの場合、プロセッサ１９０４によるデジタルベースバンド信号処理は、PDCPレイヤ、RLCレイヤ、MACレイヤ、およびPHYレイヤの信号処理を含んでもよい。また、プロセッサ１９０４によるコントロールプレーン処理は、S1プロトコル、RRCプロトコル、及びMAC CEの処理を含んでもよい。
【０１０８】
プロセッサ１９０４は、複数のプロセッサを含んでもよい。例えば、プロセッサ１９０４は、デジタルベースバンド信号処理を行うモデム・プロセッサ（e.g., DSP）とコントロールプレーン処理を行うプロトコルスタック・プロセッサ（e.g., CPU又はMPU）を含んでもよい。
【０１０９】
メモリ１９０５は、揮発性メモリ若しくは不揮発性メモリ又はこれらの組合せである。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１９０５は、プロセッサ１９０４から離れて配置されたストレージを含んでもよい。この場合、プロセッサ１９０４は、ネットワークインターフェース１９０３又は図示されていないI/Oインタフェースを介してメモリ１９０５にアクセスしてもよい。
【０１１０】
メモリ１９０５は、上述の複数の実施形態で説明されたeNB３による処理を行うための命令群およびデータを含む１又はそれ以上のソフトウェアモジュール（コンピュータプログラム）を格納してもよい。いくつかの実装において、プロセッサ１９０４は、当該ソフトウェアモジュールをメモリ１９０５から読み出して実行することで、上述の実施形態で図面を参照して説明されたeNB３の処理を行うよう構成されてもよい。
【０１１１】
図１８及び図１９を用いて説明したように、上述の実施形態に係るUE１及びeNB３が有するプロセッサの各々は、図面を用いて説明されたアルゴリズムをコンピュータに行わせるための命令群を含む１又はそれ以上のプログラムを実行する。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、これらのプログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１２】
＜その他の実施形態＞
上述の実施形態は、各々独立に実施されてもよいし、適宜組み合わせて実施されてもよい。
【０１１３】
上述の実施形態において、eNB３は、自身のセル３１に属するD2D通信ペアによって行われるD2D送信に割り当てる無線リソースを、共用されるD2D無線リソースのうちの第１の部分の中から選択するよう構成されてもよい。これに代えて、eNB３は、共用されるD2D無線リソースのうちの第１の部分をUE１（D2D送信UE）に指定し、当該UE１（D2D送信UE）がD2D送信のために使用される無線リソースを指定された第１の部分の中から選択してもよい。
【０１１４】
上述の実施形態は、D2D送信への無線リソース割り当てのためにscheduled resource allocationが採用される例を示した。これに代えて、D2D送信への無線リソース割り当てのためにautonomous resource selectionが使用されてもよい。この場合、eNB３は、上述の実施形態で説明されたいずれかの割り当て可能D2Dリソースの決定方法に従って、UE１に設定されるリソースプールを決定してもよい。これに代えて、UE１は、eNB３によって設定されたリソースプールからサイドリンク・コントロール（PSCCH）若しくはデータ（PSSCH）又は両方のリソースを自律的に選択する際に、上述の実施形態で説明されたいずれかの割り当て可能D2Dリソースの決定方法を使用してもよい。
【０１１５】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１６】
上記の実施形態の一部又は全部は、以下の付記のようにも記載されうるが、以下には限られない。
【０１１７】
（付記１）
少なくとも１つのメモリと、
前記少なくとも１つのメモリに結合された少なくとも１つのプロセッサと、
を備え、
前記少なくとも１つのプロセッサは、
第１のセルに属する第１のdevice-to-device（D2D）通信ペアの近傍に位置する１又はそれ以上の隣接セルD2D無線端末が属している１又はそれ以上の隣接セルの数を取得するよう構成され、
前記第１のセルを含む３又はそれ以上の複数のセルの間で共用されるD2D無線リソースのうち前記第１のD2D通信ペアに割り当て可能な第１の部分を、前記１又はそれ以上の隣接セルの数に依存して決定するよう構成される、
処理装置。
【０１１８】
（付記２）
前記少なくとも１つのプロセッサは、
前記１又はそれ以上の隣接セルD2D無線端末を検出するよう構成され、
前記検出された１又はそれ以上の隣接セルD2D無線端末が属している１又はそれ以上の隣接セルの数を検出するよう構成され、
前記検出された隣接セルの数に応じて、前記第１の部分のサイズを動的に増加または減少するよう構成される、
付記１に記載の処理装置。
【０１１９】
（付記３）
前記少なくとも１つのプロセッサは、前記隣接セルの数が大きいほど前記第１の部分のサイズを減らすように構成される、
付記１又は２に記載の処理装置。
【０１２０】
（付記４）
前記少なくとも１つのプロセッサは、前記隣接セルの数に基づいて、複数の分割パターンのうち１つを選択するよう構成され、
前記複数の分割パターンは、前記D2D無線リソースを互いに異なる数の部分に分割する、
付記１〜３のいずれか１項に記載の処理装置。
【０１２１】
（付記５）
前記少なくとも１つのプロセッサは、
前記隣接セルの数が第１の数であるときに、前記D2D無線リソースを２又はそれ以上の部分に分割する第１の分割パターンに従って前記第１の部分を決定するよう構成され、
前記隣接セルの数が前記第１の数より大きい第２の数であるときに、前記D2D無線リソースを３又はそれ以上の部分に分割する第２の分割パターンに従って前記第１の部分を決定するよう構成され、
前記第１および第２の分割パターンの各部分は、対応するセルに属するD2D通信ペアによって行われるD2D送信に割り当て可能なリソースであり、
前記第２の分割パターン内の前記第１の部分に含まれる無線リソースの合計サイズは、前記第１の分割パターン内の前記第１の部分に含まれる無線リソースの合計サイズよりも小さい、
付記１〜４のいずれか１項に記載の処理装置。
【０１２２】
（付記６）
前記第１の分割パターンは、周期的に変更される複数の異なる分割パターンを含む、
付記５に記載の処理装置。
【０１２３】
（付記７）
前記第１および第２の分割パターンの各部分は、複数のセルを含む１つのセルグループに関連付けられ、
前記少なくとも１つのプロセッサは、前記１又はそれ以上の隣接セルが前記第１のセルと同じセルグループに属するセルを含むか否かにさらに依存して、前記第１の部分を決定するよう構成される、
付記５又は６に記載の処理装置。
【０１２４】
（付記８）
前記少なくとも１つのプロセッサは、前記１又はそれ以上の隣接セルD2D無線端末の数にさらに依存して、前記第１の部分を決定するよう構成される、
付記１〜７のいずれか１項に記載の処理装置。
【０１２５】
（付記９）
前記少なくとも１つのプロセッサは、前記１又はそれ以上の隣接セルD2D無線端末の数が大きいほど前記第１の部分のサイズを減らすように構成される、
付記８に記載の処理装置。
【０１２６】
（付記１０）
前記少なくとも１つのプロセッサは、さらに、前記第１のD2D通信ペアによって行われるD2D送信に割り当てる無線リソースを、前記第１の部分の中から選択するよう構成される、
付記１〜９のいずれか１項に記載の処理装置。
【０１２７】
（付記１１）
前記処理装置は、前記第１のセルを運用するよう構成された第１の基地局に配置される、
付記１〜１０のいずれか１項に記載の処理装置。
【０１２８】
（付記１２）
前記少なくとも１つのプロセッサは、
第２のセルに属するD2D通信ペアの近傍に位置し且つ前記第１のセルに属しているD2D無線端末に関する情報を前記第２のセルを運用する第２の基地局から受信するよう構成され、
前記情報にさらに依存して、前記第１の部分を決定するよう構成される、
付記１０に記載の処理装置。
【０１２９】
（付記１３）
前記情報は、前記第２のセル内のD2D通信ペアと前記第１のセルに属するD2D無線端末との近接が検出されたか否かを示す、
付記１２に記載の処理装置。
【０１３０】
（付記１４）
前記少なくとも１つのプロセッサは、前記第１のD2Dペアの近傍に位置し且つ第２のセルに属しているD2D無線端末に関する情報を前記第２のセルを運用する第２の基地局に送るよう構成される、
付記１１〜１３のいずれか１項に記載の処理装置。
【０１３１】
（付記１５）
前記少なくとも１つのプロセッサは、前記隣接セルの数に基づいて、複数の分割パターンのうち１つを前記第１のD2D通信ペアへの無線リソース割り当てに使用するために選択するよう構成され、ここで、前記複数の分割パターンは、前記D2D無線リソースを互いに異なる数の部分に分割し、各部分は、対応するセルに属するD2D通信ペアによって行われるD2D送信に割り当て可能なリソースであり;
前記少なくとも１つのプロセッサは、前記選択された分割パターンを隣接セルの基地局に通知するよう構成される、
付記１１〜１４のいずれか１項に記載の処理装置。
【０１３２】
（付記１６）
前記処理装置は、無線端末に配置される、
付記１〜１０のいずれか１項に記載の処理装置。
【０１３３】
（付記１７）
前記少なくとも１つのプロセッサは、１又はそれ以上の無線端末又は無線端末グループを発見するためのディスカバリ手順を用いて、前記１又はそれ以上の隣接セルD2D無線端末を検出するよう構成され、
前記ディスカバリ手順は、D2D通信のためのディスカバリであるか又はそれ以外の用途のためのディスカバリであるかを識別するための情報要素を含む信号を他の無線端末に送信又は他の無線端末から受信することを含む、
付記１６に記載の処理装置。
【０１３４】
（付記１８）
第１のセルに属する第１のdevice-to-device（D2D）通信ペアの近傍に位置する１又はそれ以上の隣接セルD2D無線端末が属している１又はそれ以上の隣接セルの数を取得すること、及び
前記第１のセルを含む３又はそれ以上の複数のセルの間で共用されるD2D無線リソースのうち前記第１のD2D通信ペアに割り当て可能な第１の部分を、前記１又はそれ以上の隣接セルの数に依存して決定すること、
を備える方法。
【０１３５】
（付記１９）
前記取得することは、
前記１又はそれ以上の隣接セルD2D無線端末を検出すること、及び
前記検出された１又はそれ以上の隣接セルD2D無線端末が属している１又はそれ以上の隣接セルの数を検出すること、
を含み、
前記決定することは、前記検出された隣接セルの数に応じて、前記第１の部分のサイズを動的に増加または減少することを含む、
付記１８に記載の方法。
【０１３６】
（付記２０）
前記決定することは、前記隣接セルの数が大きいほど前記第１の部分のサイズを減らすことを含む、
付記１８又は１９に記載の方法。
【０１３７】
（付記２１）
前記決定することは、前記隣接セルの数に基づいて、複数の分割パターンのうち１つを選択することを含み、
前記複数の分割パターンは、前記D2D無線リソースを互いに異なる数の部分に分割する、
付記１８〜２０のいずれか１項に記載の方法。
【０１３８】
（付記２２）
前記決定することは、
前記隣接セルの数が第１の数であるときに、前記D2D無線リソースを２又はそれ以上の部分に分割する第１の分割パターンに従って前記第１の部分を決定すること、及び
前記隣接セルの数が前記第１の数より大きい第２の数であるときに、前記D2D無線リソースを３又はそれ以上の部分に分割する第２の分割パターンに従って前記第１の部分を決定すること、
を含み、
前記第１および第２の分割パターンの各部分は、対応するセルに属するD2D通信ペアによって行われるD2D送信に割り当て可能なリソースであり、
前記第２の分割パターン内の前記第１の部分に含まれる無線リソースの合計サイズは、前記第１の分割パターン内の前記第１の部分に含まれる無線リソースの合計サイズよりも小さい、
付記１８〜２１のいずれか１項に記載の方法。
【０１３９】
（付記２３）
前記第１の分割パターンは、周期的に変更される複数の異なる分割パターンを含む、
付記２２に記載の方法。
【０１４０】
（付記２４）
前記第１のD2D通信ペアによって行われるD2D送信に割り当てる無線リソースを、前記第１の部分の中から選択することをさらに備える、
付記１８〜２３のいずれか１項に記載の方法。
【０１４１】
（付記２５）
付記１８〜２４のいずれか１項に記載の方法をコンピュータに行わせるためのプログラム。
【０１４２】
（付記２６）
第１のセルを運用するよう構成された基地局であって、
少なくとも１つのメモリと、
前記少なくとも１つのメモリに結合された少なくとも１つのプロセッサと、
を備え、
前記少なくとも１つのプロセッサは、
前記第１のセルに属する第１のdevice-to-device（D2D）通信ペアの近傍に位置する１又はそれ以上の隣接セルD2D無線端末を検出するよう構成され、
前記第１のD2D通信ペアの近傍に位置し且つ第２のセルに属するD2D無線端末に関する情報を前記第２のセルを運用する第２の基地局に送るよう構成される、
基地局。
【０１４３】
（付記２７）
第１のセルを運用するよう構成された基地局における方法であって、
前記第１のセルに属する第１のdevice-to-device（D2D）通信ペアの近傍に位置する１又はそれ以上の隣接セルD2D無線端末を検出すること、及び
前記第１のD2D通信ペアの近傍に位置し且つ第２のセルに属するD2D無線端末に関する情報を前記第２のセルを運用する第２の基地局に送ること、
を備える方法。
【０１４４】
（付記２８）
第１のセルを運用するよう構成された基地局における方法をコンピュータに行わせるためのプログラムであって、
前記方法は、
前記第１のセルに属する第１のdevice-to-device（D2D）通信ペアの近傍に位置する１又はそれ以上の隣接セルD2D無線端末を検出すること、及び
前記第１のD2D通信ペアの近傍に位置し且つ第２のセルに属するD2D無線端末に関する情報を前記第２のセルを運用する第２の基地局に送ること、
を備える、
プログラム。
【０１４５】
（付記２９）
第１のセルを運用するよう構成された基地局であって、
少なくとも１つのメモリと、
前記少なくとも１つのメモリに結合された少なくとも１つのプロセッサと、
を備え、
前記少なくとも１つのプロセッサは、
前記第１のセルに属する第１のdevice-to-device（D2D）通信ペアの近傍に位置する１又はそれ以上の隣接セルD2D無線端末が属している１又はそれ以上の隣接セルの数を検出するよう構成され、
前記隣接セルの数に基づいて、複数の分割パターンのうち１つを前記第１のD2D通信ペアへの無線リソース割り当てに使用するために選択するよう構成され、ここで、前記複数の分割パターンは、前記D2D無線リソースを互いに異なる数の部分に分割し、各部分は、対応するセルに属するD2D通信ペアによって行われるD2D送信に割り当て可能なリソースであり；
前記選択された分割パターンを隣接セルの基地局に通知するよう構成される、
基地局。
【０１４６】
（付記３０）
第１のセルを運用するよう構成された基地局における方法であって、
前記第１のセルに属する第１のdevice-to-device（D2D）通信ペアの近傍に位置する１又はそれ以上の隣接セルD2D無線端末が属している１又はそれ以上の隣接セルの数を検出すること、
前記隣接セルの数に基づいて、複数の分割パターンのうち１つを前記第１のD2D通信ペアへの無線リソース割り当てに使用するために選択すること、ここで、前記複数の分割パターンは、前記D2D無線リソースを互いに異なる数の部分に分割し、各部分は、対応するセルに属するD2D通信ペアによって行われるD2D送信に割り当て可能なリソースであり；及び
前記選択された分割パターンを隣接セルの基地局に通知すること、
を備える方法。
【０１４７】
（付記３１）
第１のセルを運用するよう構成された基地局における方法をコンピュータに行わせるためのプログラムであって、
前記方法は、
前記第１のセルに属する第１のdevice-to-device（D2D）通信ペアの近傍に位置する１又はそれ以上の隣接セルD2D無線端末が属している１又はそれ以上の隣接セルの数を検出すること、
前記隣接セルの数に基づいて、複数の分割パターンのうち１つを前記第１のD2D通信ペアへの無線リソース割り当てに使用するために選択すること、ここで、前記複数の分割パターンは、前記D2D無線リソースを互いに異なる数の部分に分割し、各部分は、対応するセルに属するD2D通信ペアによって行われるD2D送信に割り当て可能なリソースであり；及び
前記選択された分割パターンを隣接セルの基地局に通知すること、
を備える、
プログラム。
【０１４８】
（付記３２）
無線端末であって、
少なくとも１つのメモリと、
前記少なくとも１つのメモリに結合された少なくとも１つのプロセッサと、
を備え、
前記少なくとも１つのプロセッサは、１又はそれ以上の無線端末又は無線端末グループを発見するためのディスカバリ手順を用いて、１又はそれ以上の隣接セルdevice-to-device（D2D）無線端末を検出するよう構成され、
前記ディスカバリ手順は、D2D通信のためのディスカバリであるか又はそれ以外の用途のためのディスカバリであるかを識別するための情報要素を含む信号を他の無線端末に送信又は他の無線端末から受信することを含む、
無線端末。
【０１４９】
（付記３３）
無線端末における方法であって、
１又はそれ以上の無線端末又は無線端末グループを発見するためのディスカバリ手順を用いて、１又はそれ以上の隣接セルdevice-to-device（D2D）無線端末を検出することを備え、
前記ディスカバリ手順は、D2D通信のためのディスカバリであるか又はそれ以外の用途のためのディスカバリであるかを識別するための情報要素を含む信号を他の無線端末に送信又は他の無線端末から受信することを含む、
方法。
【０１５０】
（付記３４）
無線端末における方法をコンピュータに行わせるためのプログラムであって、
前記方法は、１又はそれ以上の無線端末又は無線端末グループを発見するためのディスカバリ手順を用いて、１又はそれ以上の隣接セルdevice-to-device（D2D）無線端末を検出することを備え、
前記ディスカバリ手順は、D2D通信のためのディスカバリであるか又はそれ以外の用途のためのディスカバリであるかを識別するための情報要素を含む信号を他の無線端末に送信又は他の無線端末から受信することを含む、
プログラム。
【０１５１】
この出願は、２０１７年４月１９日に出願された日本出願特願２０１７−０８２８０６を基礎とする優先権を主張し、その開示の全てをここに取り込む。
【符号の説明】
【０１５２】
１  UE
２  D2D通信ペア
３  eNB
３１  セル
１０１  D2Dリンク
【図１】
2018193676.tif 000004
【図２】
2018193676.tif 000005
【図３】
2018193676.tif 000006
【図４】
2018193676.tif 000007
【図５】
2018193676.tif 000008
【図６】
2018193676.tif 000009
【図７】
2018193676.tif 000010
【図８】
2018193676.tif 000011
【図９】
2018193676.tif 000012
【図１０】
2018193676.tif 000013
【図１１】
2018193676.tif 000014
【図１２Ａ】
2018193676.tif 000015
【図１２Ｂ】
2018193676.tif 000016
【図１３】
2018193676.tif 000017
【図１４】
2018193676.tif 000018
【図１５】
2018193676.tif 000019
【図１６】
2018193676.tif 000020
【図１７】
2018193676.tif 000021
【図１８】
2018193676.tif 000022
【図１９】
2018193676.tif 000023
【国際調査報告】
2018193676.tif 000024
2018193676.tif 000025
2018193676.tif 000026
2018193676.tif 000027
2018193676.tif 000028
2018193676.tif 000029
2018193676.tif 000030